(57)【特許請求の範囲】
【請求項１】
紙葉状の媒体を入出する入出部と、
前記入出部と接続され前記媒体を搬送する第１搬送部と、
前記第１搬送部と接続され前記第１搬送部により搬送される前記媒体を収納する収納庫と、
搬送方向の下流側から上流側へ搬送される前記媒体の搬送経路を前記第１搬送部又は前記収納庫に切り替える一方、搬送方向の上流側から下流側へ搬送される前記媒体の搬送経路を前記収納庫へは切り替えない切替部と、
前記第１搬送部に対し前記切替部よりも前記媒体の搬送方向の下流側において前記第１搬送部に接続され、前記媒体を一時的に収納する保留部と、
前記第１搬送部に設けられ、搬送される前記媒体を鑑別する鑑別部と、
前記鑑別部を挟んで前記入出部と反対側に接続され、少なくとも搬送方向の上流側から下流側へ搬送される前記媒体の搬送経路を下流側又は前記保留部に切り替える一時保留切替部と、
前記一時保留切替部を介して前記保留部又は前記第１搬送部と接続され、前記媒体を搬送する第２搬送部と、
前記第２搬送部と接続され前記第２搬送部により搬送される前記媒体を収納する第２の収納庫と、
前記入出部から繰り出され前記鑑別部により前記収納庫に収納すべきであると鑑別された前記媒体を、前記切替部を介し前記保留部へ搬送させた後、前記切替部における搬送方向の下流側から上流側へ搬送される前記媒体の搬送経路を前記収納庫に切り替え、前記保留部から前記切替部を介し、前記鑑別部と前記一時保留切替部との間において前記第１搬送部に接続された前記収納庫へ搬送させる一方、前記入出部から繰り出され前記鑑別部により前記第２の収納庫に収納すべきであると鑑別された前記媒体を、前記切替部を介し前記第２搬送部へ搬送させて前記保留部を介さず前記第２の収納庫へ搬送させる制御部と
を有する媒体処理装置。
【請求項２】
前記制御部は、前記鑑別部において前記媒体処理装置内に受け入れるべきで無いと鑑別された前記媒体を前記保留部へ搬送させた後に該保留部から前記入出部へ搬送させる
請求項１に記載の媒体処理装置。
【請求項３】
前記切替部は、下流側から上流側へ搬送される前記媒体の搬送経路を前記第１搬送部又は前記収納庫の何れかに切り替える２ウェイブレードにより構成される
請求項１に記載の媒体処理装置。
【請求項４】
前記切替部は、前記鑑別部に前記媒体が搬送されてから、前記鑑別部により前記媒体が鑑別され前記切替部が制御されるまでに要する時間に応じた搬送路の長さよりも短い間隔を空けて前記鑑別部に隣接している
請求項１に記載の媒体処理装置。
【請求項５】
前記一時保留切替部は、前記鑑別部に前記媒体が搬送されてから、前記鑑別部により前記媒体が鑑別され前記一時保留切替部が制御されるまでに要する時間に応じた搬送路の長さよりも長い間隔を空けて前記鑑別部に隣接している
請求項１に記載の媒体処理装置。
【請求項６】
利用者との間で取引する紙葉状の媒体を入出する入出部と、
前記入出部と接続され前記媒体を搬送する第１搬送部と、
前記第１搬送部と接続され前記第１搬送部により搬送される前記媒体を収納する収納庫と、
搬送方向の下流側から上流側へ搬送される前記媒体の搬送経路を前記第１搬送部又は前記収納庫に切り替える一方、搬送方向の上流側から下流側へ搬送される前記媒体の搬送経路を前記収納庫へは切り替えない切替部と、
前記第１搬送部に対し前記切替部よりも前記媒体の搬送方向の下流側において前記第１搬送部に接続され、前記媒体を一時的に収納する保留部と、
前記第１搬送部に設けられ、搬送される前記媒体を鑑別する鑑別部と、
前記鑑別部を挟んで前記入出部と反対側に接続され、少なくとも搬送方向の上流側から下流側へ搬送される前記媒体の搬送経路を下流側又は前記保留部に切り替える一時保留切替部と、
前記一時保留切替部を介して前記保留部又は前記第１搬送部と接続され、前記媒体を搬送する第２搬送部と、
前記第２搬送部と接続され前記第２搬送部により搬送される前記媒体を収納する第２の収納庫と、
前記入出部を介して前記媒体を利用者から受け入れる受入取引において、前記入出部から繰り出され前記鑑別部により前記収納庫に収納すべきであると鑑別された前記媒体を、前記切替部を介し前記保留部へ搬送させた後、前記切替部における搬送方向の下流側から上流側へ搬送される前記媒体の搬送経路を前記収納庫に切り替え、前記保留部から前記切替部を介し、前記鑑別部と前記一時保留切替部との間において前記第１搬送部に接続された前記収納庫へ搬送させる一方、前記入出部から繰り出され前記鑑別部により前記第２の収納庫に収納すべきであると鑑別された前記媒体を、前記切替部を介し前記第２搬送部へ搬送させて前記保留部を介さず前記第２の収納庫へ搬送させる制御部と
を有する媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動取引装置（ＡＴＭ）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００３】
このような現金自動取引装置には、入金取引において入金が確定する前の紙幣を一時保留部に保留せず、入出金部から紙幣収納庫へ直接搬送して収納するダイレクト入金を行うことにより、一時保留部の保留上限枚数に制限されることなく一回の取引で多数の紙幣を入金させ、入金取引を迅速化し運用効率を向上させるものがある（例えば、特許文献１参照）。
【先行技術文献】
【特許文献】
【０００４】
【特許文献１】特開２０１３−１１７８９８号公報
【発明の概要】
【発明が解決しようとする課題】
【０００５】
現金自動取引装置においては、搬送部の簡略化に伴い当該搬送部において紙幣の搬送経路を切り替えるブレードの構成に制約がある場合であっても、全ての紙幣収納庫に確実に紙幣を収納し、機能性を向上させることが望まれている。
【０００６】
本発明は以上の点を考慮してなされたもので、機能性を向上させ得る媒体処理装置及び媒体取引装置を提案しようとするものである。
【課題を解決するための手段】
【０００７】
かかる課題を解決するため本発明の媒体処理装置においては、紙葉状の媒体を入出する入出部と、入出部と接続され媒体を搬送する第１搬送部と、第１搬送部と接続され第１搬送部により搬送される媒体を収納する収納庫と、搬送方向の下流側から上流側へ搬送される媒体の搬送経路を第１搬送部又は収納庫に切り替える一方、搬送方向の上流側から下流側へ搬送される媒体の搬送経路を収納庫へは切り替えない切替部と、第１搬送部に対し切替部よりも媒体の搬送方向の下流側において第１搬送部に接続され、媒体を一時的に収納する保留部と、第１搬送部に設けられ、搬送される媒体を鑑別する鑑別部と、鑑別部を挟んで入出部と反対側に接続され、少なくとも搬送方向の上流側から下流側へ搬送される媒体の搬送経路を下流側又は保留部に切り替える一時保留切替部と、一時保留切替部を介して保留部又は第１搬送部と接続され、媒体を搬送する第２搬送部と、第２搬送部と接続され第２搬送部により搬送される媒体を収納する第２の収納庫と、入出部から繰り出され鑑別部により収納庫に収納すべきであると鑑別された媒体を、切替部を介し保留部へ搬送させた後、切替部における搬送方向の下流側から上流側へ搬送される媒体の搬送経路を収納庫に切り替え、保留部から切替部を介し、鑑別部と一時保留切替部との間において第１搬送部に接続された収納庫へ搬送させる一方、入出部から繰り出され鑑別部により第２の収納庫に収納すべきであると鑑別された媒体を、切替部を介し第２搬送部へ搬送させて保留部を介さず第２の収納庫へ搬送させる制御部とを設けるようにした。
【０００８】
また本発明の媒体取引装置においては、利用者との間で取引する紙葉状の媒体を入出する入出部と、入出部と接続され媒体を搬送する第１搬送部と、第１搬送部と接続され第１搬送部により搬送される媒体を収納する収納庫と、搬送方向の下流側から上流側へ搬送される媒体の搬送経路を第１搬送部又は収納庫に切り替える一方、搬送方向の上流側から下流側へ搬送される媒体の搬送経路を収納庫へは切り替えない切替部と、第１搬送部に対し切替部よりも媒体の搬送方向の下流側において第１搬送部に接続され、媒体を一時的に収納する保留部と、第１搬送部に設けられ、搬送される媒体を鑑別する鑑別部と、鑑別部を挟んで入出部と反対側に接続され、少なくとも搬送方向の上流側から下流側へ搬送される媒体の搬送経路を下流側又は保留部に切り替える一時保留切替部と、一時保留切替部を介して保留部又は第１搬送部と接続され、媒体を搬送する第２搬送部と、第２搬送部と接続され第２搬送部により搬送される媒体を収納する第２の収納庫と、入出部を介して媒体を利用者から受け入れる受入取引において、入出部から繰り出され鑑別部により収納庫に収納すべきであると鑑別された媒体を、切替部を介し保留部へ搬送させた後、切替部における搬送方向の下流側から上流側へ搬送される媒体の搬送経路を収納庫に切り替え、保留部から切替部を介し、鑑別部と一時保留切替部との間において第１搬送部に接続された収納庫へ搬送させる一方、入出部から繰り出され鑑別部により第２の収納庫に収納すべきであると鑑別された媒体を、切替部を介し第２搬送部へ搬送させて保留部を介さず第２の収納庫へ搬送させる制御部とを設けるようにした。
【０００９】
本発明では、搬送部の切替部の制約により入出部から直接収納庫へ搬送することができない媒体を、当該切替部よりも下流側に位置する保留部に一旦保留した後、当該保留部から上流側へ移動させて切替部を介し収納庫へ搬送することができる。
【発明の効果】
【００１０】
本発明によれば、搬送部の切替部の制約により入出部から直接収納庫へ搬送することができない媒体を、当該切替部よりも下流側に位置する保留部に一旦保留した後、当該保留部から上流側へ移動させて切替部を介し収納庫へ搬送することができる。かくして本発明は、機能性を向上させ得る媒体処理装置及び媒体取引装置を実現できる。
【図面の簡単な説明】
【００１１】
【図１】現金自動取引装置の構成を示す斜視図である。
【図２】紙幣入出金機の構成を示す左側面図である。
【図３】搬送部の構成を示す左側面図である。
【図４】入金処理手順（１）を示すフローチャートである。
【図５】入金処理手順（２）を示すフローチャートである。
【図６】入金処理における紙幣の経路（１）を示す左側面図である。
【図７】入金処理における紙幣の経路（２）を示す左側面図である。
【図８】入金処理における紙幣の経路（３）を示す左側面図である。
【図９】入金処理における紙幣の経路（４）を示す左側面図である。
【図１０】入金処理における紙幣の経路（５）を示す左側面図である。
【図１１】入金処理における紙幣の経路（６）を示す左側面図である。
【発明を実施するための形態】
【００１２】
以下、発明を実施するための形態（以下実施の形態とする）について、図面を用いて説明する。
【００１３】
［１．実施の形態］
［１−１．現金自動取引装置の全体構成］
図１に外観を示すように、現金自動取引装置１は、箱状の筐体２を中心に構成されており、例えば金融機関等に設置され、顧客との間で入金処理や出金処理等の現金に関する取引を行う。
【００１４】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１５】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される部分である。また入出金口５は、シャッタを駆動することにより開放又は閉塞する。因みに紙幣は、例えば長方形の紙で構成されている。
【００１６】
操作表示部６は、取引に際して操作画面を表示するＬＣＤ（Liquid Crystal Display）と、取引の種類の選択、暗証番号や取引金額等を入力するタッチセンサとが一体化されたタッチパネルである。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１７】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００１８】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭやフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００１９】
［１−２．紙幣入出金機の構成］
紙幣入出金機１０は、図２に示すように、内部に紙幣に関する種々の処理を行う複数の部分が組み込まれている。紙幣入出金機１０は、大きく分けて、上下方向のほぼ中央よりも上側部分を占める上部ブロック１０Ｕと、その下側部分を閉める下部ブロック１０Ｌとにより構成されている。
【００２０】
［１−２−１．上部ブロックの構成］
上部ブロック１０Ｕには、全体を統括制御する紙幣制御部１２と、顧客との間で紙幣を授受する入出金部１４と、紙幣を各部へ搬送する搬送部１５と、紙幣を鑑別する鑑別部１６と、紙幣を一時的に収納する一時保留部１７と、偽券と鑑別された紙幣を収納する偽券庫１８とが設けられている。
【００２１】
紙幣制御部１２は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１２は、内部にＲＡＭ及びフラッシュメモリ等でなる記憶部１３を有しており、この記憶部１３に種々の情報を記憶させる。
【００２２】
入出金部１４は、上部ブロック１０Ｕ内における前側上部に位置している。この入出金部１４は、顧客から入金された紙幣及び顧客へ出金すべき紙幣を収容する収容器２２を内部に有しており、その上方をシャッタ１１により開閉し得る。収容器２２内には、複数の紙幣が紙面を前後方向に向けて集積された状態で、すなわち前後方向に沿って整列された状態で収容される。また入出金部１４は、収容器２２内部において、搬送部１５へ繰り出す紙幣が存在するか否かを検出する図示しない紙幣検知センサが設けられおり、当該紙幣検知センサにより紙幣を検知して、その検知結果を紙幣制御部１２へ送出する。
【００２３】
鑑別部１６は、上部ブロック１０Ｕ内における前端であって入出金部１４の下に隣接する位置に設けられ、内部に複数種類のセンサが組み込まれており、搬送される紙幣の金種、真偽、正損（損傷しているか否か）、及び搬送状態を認識し、その鑑別結果を紙幣制御部１２へ送出する。また鑑別部１６は、紙幣に付された記番号を識別し、その識別結果を紙幣制御部１２へ送出する。具体的に鑑別部１６内には、前側の前受渡口と後側の後受渡口との間を前後方向に沿って直線状に結ぶような搬送経路が形成されており、この搬送経路に沿って後側から順に走行センサ、イメージセンサ及び真偽センサが配置されている。
【００２４】
一時保留部１７は、上部ブロック１０Ｕ内における前後方向のほぼ中央部であって搬送部１５の上に隣接する位置に設けられ、いわゆるテープエスクロ方式を採用しており、円筒形状のドラムの周側面に紙幣をテープと共に巻き付けることで当該紙幣を収納し、またこの周側面から当該テープを引き剥がすことで紙幣を繰り出す。また一時保留部１７は、当該一時保留部１７内部において、搬送部１５へ繰り出す紙幣が存在するか否かを検出する図示しない紙幣検知センサが設けられおり、当該紙幣検知センサにより紙幣を検知して、その検知結果を紙幣制御部１２へ送出する。一時保留部１７は、ドラムの周側面に紙幣をテープと共に巻き付け、またこれを巻き戻して当該紙幣を引き剥がすことにより、紙幣の搬送順序を保ったまま収納及び繰出を行う。
【００２５】
偽券庫１８は、上部ブロック１０Ｕ内における後端近傍であって、搬送部１５の上に隣接する位置に設けられており、内部に紙幣を収納する空間を有している。この偽券庫１８は、鑑別部１６及び紙幣制御部１２により偽造紙幣（以下、偽券と呼ぶ）と判断された紙幣が搬送部１５により搬送されてくると、これを内部に収納する。
【００２６】
［１−２−２．搬送部の構成］
搬送部１５は、上部ブロック１０Ｕ内における下端部分に、すなわち紙幣入出金機１０全体における上下のほぼ中央を前後方向に横切るように位置しており、全体的に上下方向に薄く前後方向に細長い形状となっている。この搬送部１５内には、多数の回転するローラや紙幣を案内するガイド等が適宜配置されており、紙幣の短手方向を進行方向として、主に前後方向に沿って搬送させるような直線状の搬送路が形成されている。
【００２７】
また搬送部１５内には、複数の切替部が配置されている。各切替部は、ブレードと呼ばれる部材（図中三角形で示す）及びその周囲に配置された複数のローラにより構成されている。ブレードは、左右方向に長く、且つ左右方向から見て楔形に形成されており、回転して傾斜方向を変化させることで、紙幣の搬送方向を切り替える。各ローラは、紙幣の搬送路を挟んで互いに対向するように配置されている。この切替部は、紙幣制御部１２の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００２８】
一方、搬送部１５は、図３に拡大図を示すように、大きく分けて前側の第１搬送部２４と、後側の第２搬送部２６と、両者を接続する一時保留切替部２８とにより構成されている。
【００２９】
一時保留切替部２８は、中心に位置するブレード３０と、当該ブレード３０の前側、後側及び上側にそれぞれ位置するローラとにより構成されている。ブレード３０は、上述した各切替部のブレードと同様、回転して傾斜角度を変化させるものの、他の切替部と異なり、紙幣の搬送方向を３通りに切り替える、いわゆる３ウェイブレードである。具体的に一時保留切替部２８は、上側の一時保留部１７と前側の第１搬送部２４とを結ぶ搬送経路を形成するか、上側の一時保留部１７と後側の第２搬送部２６とを結ぶ搬送路を形成するか、或いは前側の第１搬送部２４と後側の第２搬送部２６とを結ぶ搬送経路を形成するかを切り替える。
【００３０】
第１搬送部２４内には、前方から順に、リジェクト切替部３２、鑑別部１６及び第１切替部３４が直列に配置されると共に、これらの間が比較的短い搬送短路によりそれぞれ接続されており、全体として前後方向に沿った直線状の搬送経路が形成されている。また説明の都合上、第１搬送部２４のうち鑑別部１６の前側及び後側の各部分をそれぞれ前部２４Ａ及び後部２４Ｂと呼ぶ。
【００３１】
リジェクト切替部３２は、先端が後方を向くブレードの傾斜方向を変化させて紙幣の搬送経路を２通りに切り替えるようになっており、上側の入出金部１４と後側の鑑別部１６との間を結ぶ搬送経路を形成するか、或いは後側の鑑別部１６と下側のリジェクト庫１９とを結ぶ搬送経路を形成する。これによりリジェクト切替部３２は、第１搬送部２４内を後方から前方へ向けて搬送された紙幣の搬送経路を、入出金部１４又はリジェクト庫１９に切り替えるようにしている。
【００３２】
第１切替部３４は、リジェクト切替部３２と同様に先端が後方を向くブレードの傾斜方向を変化させて紙幣の搬送経路を２通りに切り替えるようになっており、後側の搬送短路と下側の紙幣収納庫２０Ａとを結ぶ搬送経路を形成するか、或いは後側の搬送短路と前側の搬送短路とを結ぶ搬送経路を形成する。これにより第１切替部３４は、第１搬送部２４内を後方から前方へ向けて搬送された紙幣の搬送経路を鑑別部１６又は紙幣収納庫２０Ａに切り替える、いわゆる２ウェイブレードとしている。一方で第１切替部３４は、第１搬送部２４内を前方から後方へ向けて搬送された紙幣を一時保留切替部２８へのみ搬送し、紙幣収納庫２０Ａへは切り替えないようにしている。
【００３３】
第２搬送部２６内には、前方から順に、第２切替部３６、第３切替部３８、第４切替部４０及び偽券切替部４２が直列に配置されており、第１搬送部２４と同様、これらの間が比較的短い搬送短路によりそれぞれ接続されることで、全体として前後方向に沿った直線状の搬送経路が形成されている。
【００３４】
第２切替部３６、第３切替部３８及び第４切替部４０は、何れも第１切替部３４とほぼ前後対称に形成されており、先端が前方を向くブレードの傾斜方向を変化させて紙幣の搬送経路を２通りに切り替える。すなわち第２切替部３６、第３切替部３８及び第４切替部４０は、前側の搬送短路と下側の紙幣収納庫２０Ｂ、２０Ｃ又は２０Ｄそれぞれとを結ぶ搬送経路を形成するか、或いは前側の搬送短路と後側の搬送短路とを結ぶ搬送経路を形成するかを切り替える。これにより第２切替部３６、第３切替部３８及び第４切替部４０は、第２搬送部２６内を前方から後方へ向けて搬送された紙幣の搬送経路をそれぞれ後方の紙幣収納庫か、又は紙幣収納庫２０Ｂ、２０Ｃ及び２０Ｄそれぞれに切り替える、いわゆる２ウェイブレードとしている。
【００３５】
偽券切替部４２は、第２切替部３６、第３切替部３８及び第４切替部４０とほぼ上下対称に形成されており、先端が前方を向くブレードの傾斜方向を変化させて紙幣の搬送経路を２通りに切り替える。すなわち偽券切替部４２は、前側の搬送短路と上側の偽券庫１８とを結ぶ搬送経路を形成するか、或いは前側の搬送短路と後側の搬送短路を介して紙幣収納庫２０Ｅとを結ぶ搬送経路を形成するかを切り替える。これにより偽券切替部４２は、第２搬送部２６内を前方から後方へ向けて搬送された紙幣の搬送経路を、偽券庫１８又は紙幣収納庫２０Ｅに切り替える、いわゆる２ウェイブレードとしている。
【００３６】
このように搬送部１５は、第１搬送部２４、一時保留切替部２８及び第２搬送部２６により、前後方向に沿った直線状の搬送経路を形成し、この搬送経路に沿って紙幣を主に前後方向へ搬送すると共に、複数の切替部によりその搬送経路を切り替える。
【００３７】
［１−２−３．下部ブロックの構成］
下部ブロック１０Ｌには、再利用すべきでない紙幣を収納するリジェクト庫１９と、再利用可能な紙幣を収納する５個の紙幣収納庫２０（２０Ａ、２０Ｂ、２０Ｃ、２０Ｄ及び２０Ｅ）とが設けられている。
【００３８】
リジェクト庫１９は、下部ブロック１０Ｌ内における最も前側且つ上寄りに位置しており、上下方向に長い直方体状に形成されると共に内部に紙幣を集積して収納する空間を有している。因みにリジェクト庫１９は、上下方向の長さが下部ブロック１０Ｌの半分程度となっている。このリジェクト庫１９は、鑑別部１６及び紙幣制御部１２により損傷の程度が大きく再利用すべきで無いと判断された紙幣が搬送部１５により搬送されて来ると、当該紙幣を内部に収納する。
【００３９】
下部ブロック１０Ｌ内におけるリジェクト庫１９の後方には、前側から後側へ向けて順に紙幣収納庫２０Ａ、２０Ｂ、２０Ｃ、２０Ｄ及び２０Ｅが設けられている。各紙幣収納庫２０（２０Ａ、２０Ｂ、２０Ｃ、２０Ｄ及び２０Ｅ）は、何れも同様に構成されており、上下方向に長い直方体状に形成されると共に内部に紙幣を集積して収納する空間を有している。各紙幣収納庫２０は、それぞれ収納すべき紙幣の金種が予め設定されている。この紙幣収納庫２０は、鑑別部１６及び紙幣制御部１２により損傷の程度が小さく再利用が可能であると判断された紙幣が、その金種に応じて搬送部１５により搬送されてくると、当該紙幣を内部に集積して収納する。また紙幣収納庫２０は、紙幣制御部１２から紙幣を繰り出す指示を受け付けると、集積している紙幣を１枚ずつに分離して繰り出し、搬送部１５に受け渡す。
【００４０】
かかる構成において現金自動取引装置１は、鑑別部１６による紙幣の鑑別結果及び識別結果等をもとに主制御部９及び紙幣制御部１２が各部を制御して、紙幣の入金処理及び出金処理等を行う。
【００４１】
［１−３．入金処理］
次に、現金自動取引装置１による入金処理の具体的な処理手順について、図４及び図５に示すフローチャートを用いて詳細に説明する。因みに図６乃至図１１は、何れも紙幣入出金機１０における上部ブロック１０Ｕのうちの入出金部１４、搬送部１５、鑑別部１６及び一時保留部１７と、下部ブロック１０Ｌの上部分とを拡大して表したものである。
【００４２】
紙幣入出金機１０の紙幣制御部１２は、顧客が入金取引を行う場合、例えば顧客により操作表示部６（図１）を介して入金処理を開始する旨の操作入力を受け付けると、記憶部１３から入金処理プログラムを読み出して実行することにより図４に示す入金処理手順ＲＴ１を開始し、ステップＳＰ１へ移る。ステップＳＰ１において紙幣制御部１２は、入出金部１４のシャッタ１１を開いて収容器２２内へ紙幣を投入させる。次に紙幣制御部１２は、操作表示部６を介して紙幣の取り込みを開始する操作入力を受け付けると、シャッタ１１を閉じ、当該収容器２２内の紙幣を１枚ずつに分離して取り込み、下流側に位置する搬送部１５の第１搬送部２４へ受け渡す。
【００４３】
第１搬送部２４は、リジェクト切替部３２を切り替えて入出金部１４と後側の鑑別部１６との間を結ぶ搬送経路を形成し、矢印Ｑ１（図６）により示すように、紙幣を下流側の鑑別部１６へ受け渡す。鑑別部１６は、内部で紙幣を後方へ搬送しながら、真偽センサ、イメージセンサ及び走行センサにより各紙幣を鑑別し、当該紙幣を再び第１搬送部２４の後部２４Ｂに受け渡す。ステップＳＰ２において紙幣制御部１２は、鑑別部１６から鑑別結果を取得し、ステップＳＰ３へ移り、鑑別部１６において紙幣の記番号を識別させて識別結果を取得し、ステップＳＰ４へ移る。
【００４４】
ステップＳＰ４において紙幣制御部１２は、取得した鑑別結果を基に、紙幣の搬送先を決定し、ステップＳＰ５へ移る。具体的には紙幣制御部１２は、まず各紙幣における損傷の程度や金種、或いは真偽を判断する。次に紙幣制御部１２は、各紙幣について、正常な紙幣として認識でき以降の処理を継続できる入金受入紙幣であるか、或いは正常な紙幣として認識できないため一度顧客に返却すべき入金リジェクト紙幣であるかを判断する。多くの場合、例えば折り畳まれた状態の紙幣、多くの皺が形成された紙幣、或いは誤って入出金部１４に投入された紙幣以外の紙（メモ用紙やレシート等）が入金リジェクト紙幣として判断される。
【００４５】
また紙幣制御部１２は、入金受入紙幣について、損傷の程度が大きい再利用不可紙幣についてはリジェクト庫１９を、正常であり再利用可能な再利用可能紙幣については金種ごとの各紙幣収納庫２０を、また偽券については偽券庫１８を、それぞれ最終的な搬送先として決定する。さらに紙幣制御部１２は、紙幣の搬送順序と対応付けて、各紙幣の金種、記番号の識別結果、並びに決定した搬送先等を、鑑別部１６における記憶部１３に記憶する。
【００４６】
ステップＳＰ５において紙幣制御部１２は、紙幣が入金受入紙幣であるか否かを判定する。ここで肯定結果が得られると、このとき紙幣制御部１２はステップＳＰ６へ移る。ステップＳＰ６において紙幣制御部１２は、紙幣が偽券であるか否かを判定する。ここで否定結果が得られると、このことは紙幣が再利用可能紙幣又は再利用不可紙幣であることを表し、このとき紙幣制御部１２はステップＳＰ７へ移る。ステップＳＰ７において紙幣制御部１２は、紙幣が再利用可能紙幣であるか否かを判定する。ここで肯定結果が得られると、このとき紙幣制御部１２はステップＳＰ８へ移る。
【００４７】
ステップＳＰ８において紙幣制御部１２は、紙幣が紙幣収納庫２０Ａに収納すべき紙幣であるか否かを判定する。ここで否定結果が得られると、このことは紙幣が紙幣収納庫２０Ｂ、２０Ｃ、２０Ｄ又は２０Ｅに収納すべき紙幣であることを表し、このとき紙幣制御部１２はステップＳＰ９へ移る。
【００４８】
ステップＳＰ９において紙幣制御部１２は、紙幣を紙幣収納庫２０Ｂ、２０Ｃ、２０Ｄ又は２０Ｅのうちの収納すべき紙幣収納庫２０へ搬送して収納し、ステップＳＰ１４へ移る。具体的に第１搬送部２４は、第１切替部３４により後側の搬送短路と前側の搬送短路とを結ぶ搬送経路を形成し、上流側に位置する鑑別部１６から受け渡された紙幣を後部２４Ｂにより後方へ搬送して、当該鑑別部１６の下流側に位置する一時保留切替部２８へ受け渡す。紙幣制御部１２は、矢印Ｑ１により示すように、後側の第２搬送部２６と前側の第１搬送部２４とを結ぶ搬送経路を形成するよう一時保留切替部２８を制御し、紙幣を一時保留切替部２８から第２搬送部２６へ進行させる。続いて紙幣制御部１２は、紙幣の搬送先に応じて第２搬送部２６の第２切替部３６、第３切替部３８、第４切替部４０及び偽券切替部４２を適宜制御することにより、矢印Ｑ１により示すように、当該紙幣を搬送先に搬送して紙幣収納庫２０Ｂ、２０Ｃ、２０Ｄ又は２０Ｅの何れかに収納させる。これにより紙幣制御部１２は、再利用すべき通常の紙幣を金種ごとに分類して一時保留部１７を介さずに各紙幣収納庫２０に直接搬送して収納させるダイレクト入金を行う。
【００４９】
一方ステップＳＰ８において肯定結果が得られると、このことは紙幣が紙幣収納庫２０Ａに収納すべき紙幣であることを表し、このとき紙幣制御部１２はステップＳＰ１０へ移る。
【００５０】
ステップＳＰ１０において紙幣制御部１２は、紙幣を一時保留部１７へ搬送して収納し、ステップＳＰ１４へ移る。具体的に第１搬送部２４は、第１切替部３４により後側の搬送短路と前側の搬送短路とを結ぶ搬送経路を形成し、上流側に位置する鑑別部１６から受け渡された紙幣を後部２４Ｂにより後方へ搬送して、当該鑑別部１６の下流側に位置する一時保留切替部２８へ受け渡す。紙幣制御部１２は、矢印Ｑ２（図７）により示すように、上側の一時保留部１７と前側の第１搬送部２４とを結ぶ搬送経路を形成するよう一時保留切替部２８を制御し、紙幣を一時保留切替部２８から一時保留部１７へ進行させ、当該一時保留部１７に収納させる。
【００５１】
一時保留部１７は、上流側の一時保留切替部２８から順次受け渡される、入金受入紙幣のうち紙幣収納庫２０Ａへ収納すべき紙幣を、第１搬送部２４における紙幣の搬送順序を維持したまま、各紙幣を順次巻き付けて収納していく。またこのとき一時保留部１７は、紙幣検知センサにより各紙幣を検知し、その検知結果を紙幣制御部１２へ送出する。これに応じて紙幣制御部１２は、この検知結果を紙幣の搬送順序と対応付け、記憶部１３に記憶させる。
【００５２】
一方ステップＳＰ７において肯定結果が得られると、このことは紙幣が再利用不可紙幣であることを表し、このとき紙幣制御部１２はステップＳＰ１１へ移る。ステップＳＰ１１において紙幣制御部１２は、紙幣収納庫２０Ａに収納すべき紙幣と同様に紙幣を一時保留部１７へ搬送して収納し、ステップＳＰ１４へ移る。
【００５３】
一方ステップＳＰ６において肯定結果が得られると、このことは紙幣が偽券であることを表し、このとき紙幣制御部１２はステップＳＰ１２へ移る。
【００５４】
ステップＳＰ１２において紙幣制御部１２は、紙幣を偽券庫１８へ搬送して収納し、ステップＳＰ１４へ移る。具体的に第１搬送部２４は、第１切替部３４により後側の搬送短路と前側の搬送短路とを結ぶ搬送経路を形成し、上流側に位置する鑑別部１６から受け渡された紙幣を後部２４Ｂにより後方へ搬送して、当該鑑別部１６の下流側に位置する一時保留切替部２８へ受け渡す。紙幣制御部１２は、矢印Ｑ３（図８）により示すように、後側の第２搬送部２６と前側の第１搬送部２４とを結ぶ搬送経路を形成するよう一時保留切替部２８を制御し、紙幣を一時保留切替部２８から第２搬送部２６へ進行させる。続いて紙幣制御部１２は、第２搬送部２６の第２切替部３６、第３切替部３８、第４切替部４０及び偽券切替部４２を適宜制御することにより、矢印Ｑ３により示すように、紙幣を偽券庫１８に搬送して当該偽券庫１８に収納させる。これにより紙幣制御部１２は、偽券と判断された紙幣を偽券庫１８に収納する。
【００５５】
一方ステップＳＰ５において否定結果が得られると、このことは紙幣が入金リジェクト紙幣であることを表し、このとき紙幣制御部１２はステップＳＰ１３へ移る。ステップＳＰ１３において紙幣制御部１２は、紙幣収納庫２０Ａに収納すべき紙幣及び再利用不可紙幣と同様に紙幣を一時保留部１７へ搬送して収納し、ステップＳＰ１４へ移る。
【００５６】
ステップＳＰ１４において紙幣制御部１２は、紙幣検知センサにより入出金部１４内に搬送部１５へ繰り出すべき紙幣が存在するか否かを判定する。ここで肯定結果が得られると、このことは投入された紙幣が未だ入出金部１４に残留していることを表し、このとき紙幣制御部１２はステップＳＰ１へ戻り、入出金部１４から次の紙幣を搬送部１５へ繰り出す。一方ステップＳＰ１４において否定結果が得られると、このことは投入された全ての紙幣を入出金部１４から搬送部１５へ繰り出したことを表し、このとき紙幣制御部１２はステップＳＰ１５（図５）へ移る。
【００５７】
ステップＳＰ１５において紙幣制御部１２は、紙幣を一時保留部１７から繰り出し、ステップＳＰ１６へ移る。ステップＳＰ１６において紙幣制御部１２は、紙幣が紙幣収納庫２０Ａに収納すべき紙幣であるか否かを判定する。ここで肯定結果が得られると、このとき紙幣制御部１２はステップＳＰ１７へ移る。
【００５８】
ステップＳＰ１７において紙幣制御部１２は、紙幣を紙幣収納庫２０Ａへ搬送して収納し、ステップＳＰ２１へ移る。具体的に紙幣制御部１２は、矢印Ｑ４（図９）により示すように、上側の一時保留部１７と前側の第１搬送部２４とを結ぶ搬送経路を形成するよう一時保留切替部２８を制御すると共に、後側の搬送短路と下側の紙幣収納庫２０Ａとを結ぶ搬送経路を形成するよう第１搬送部２４の第１切替部３４を制御し、紙幣を一時保留部１７から一時保留切替部２８へ進行させ、第１搬送部２４内を一時保留部１７よりも上流側の紙幣収納庫２０Ａに向かって前方へ進行させ、当該紙幣収納庫２０Ａへ収納させる。
【００５９】
一方ステップＳＰ１６において否定結果が得られると、このことは紙幣が入金リジェクト紙幣又は再利用不可紙幣であることを表し、このとき紙幣制御部１２はステップＳＰ１８へ移る。
【００６０】
ステップＳＰ１８において紙幣制御部１２は、紙幣が入金リジェクト紙幣であるか否かを判定する。ここで肯定結果が得られると、このとき紙幣制御部１２はステップＳＰ１９へ移る。
【００６１】
ステップＳＰ１９において紙幣制御部１２は、紙幣を入出金部１４へ搬送して集積し、ステップＳＰ２１へ移る。具体的に紙幣制御部１２は、矢印Ｑ５（図１０）により示すように、上側の一時保留部１７と前側の第１搬送部２４とを結ぶ搬送経路を形成するよう一時保留切替部２８を制御し、後側の搬送短路と前側の搬送短路とを結ぶ搬送経路を形成するよう第１切替部３４を制御すると共に、入出金部１４と後側の鑑別部１６との間を結ぶ搬送経路を形成するようリジェクト切替部３２を制御し、紙幣を一時保留部１７から一時保留切替部２８へ進行させ、第１搬送部２４内を一時保留部１７よりも上流側の鑑別部１６を介し入出金部１４へ進行させ、当該入出金部１４へ収納させる。
【００６２】
一方ステップＳＰ１８において否定結果が得られると、このことは紙幣が再利用不可紙幣であることを表し、このとき紙幣制御部１２はステップＳＰ２０へ移る。
【００６３】
ステップＳＰ２０において紙幣制御部１２は、紙幣をリジェクト庫１９へ搬送して収納し、ステップＳＰ２１へ移る。具体的に紙幣制御部１２は、矢印Ｑ６（図１１）により示すように、上側の一時保留部１７と前側の第１搬送部２４とを結ぶ搬送経路を形成するよう一時保留切替部２８を制御し、後側の搬送短路と前側の搬送短路とを結ぶ搬送経路を形成するよう第１切替部３４を制御すると共に、リジェクト庫１９と後側の鑑別部１６との間を結ぶ搬送経路を形成するようリジェクト切替部３２を制御し、紙幣を一時保留部１７から一時保留切替部２８へ進行させ、第１搬送部２４内を一時保留部１７よりも上流側の鑑別部１６を介しリジェクト庫１９へ進行させ、当該リジェクト庫１９へ収納させる。
【００６４】
ステップＳＰ２１において紙幣制御部１２は、紙幣検知センサにより一時保留部１７内に搬送部１５へ繰り出すべき紙幣が存在するか否かを判定する。ここで肯定結果が得られると、このことは紙幣が未だ一時保留部１７に残留していることを表し、このとき紙幣制御部１２はステップＳＰ１５へ戻り、一時保留部１７から次の紙幣を搬送部１５へ繰り出す。一方ステップＳＰ２１において否定結果が得られると、このことは全ての紙幣を一時保留部１７から搬送部１５へ繰り出したことを表し、このとき紙幣制御部１２はステップＳＰ２２へ移る。
【００６５】
ステップＳＰ２２において紙幣制御部１２は、入出金部１４から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させ、ステップＳＰ２３へ移り入金処理手順ＲＴ１を終了する。
【００６６】
ここで紙幣制御部１２は、顧客により入金処理の中止が指示された場合、顧客により投入された紙幣のうちの偽券以外の紙幣を、紙幣収納庫２０Ａ乃至２０Ｅそれぞれと、リジェクト庫１９とから繰り出して搬送して入出金部１４の収容器２２内へ戻し、シャッタ１１を解放して顧客に返却する。このとき紙幣制御部１２は、紙幣収納庫２０Ａから入出金部１４へ紙幣を搬送する際、当該紙幣収納庫２０Ａから一旦一時保留部１７へ紙幣を搬送した後、当該一時保留部１７から入出金部１４へ当該紙幣を搬送する。
【００６７】
一方、紙幣制御部１２は、顧客により紙幣の再投入が指示された場合、シャッタ１１を解放して入金リジェクト紙幣を顧客に返却すると共に紙幣の再投入を受け付ける。また一方、紙幣制御部１２は、顧客により入金処理の継続が指示された場合、シャッタ１１を解放して入金リジェクト紙幣を顧客に返却する。
【００６８】
このように紙幣入出金機１０は、入金処理において、紙幣収納庫２０Ｂ乃至２０Ｅに収納すべき紙幣と偽券とは、一時保留部１７を介することなく鑑別部１６から紙幣収納庫２０Ｂ乃至２０Ｅと偽券庫１８とのそれぞれに直接搬送して収納する。一方紙幣入出金機１０は、紙幣収納庫２０Ａに収納すべき紙幣と入金リジェクト紙幣と再利用不可紙幣とは、鑑別部１６から一時保留部１７へ一旦搬送した後に、当該一時保留部１７から紙幣収納庫２０Ａと入出金部１４とリジェクト庫１９とのそれぞれに搬送して収納する。
【００６９】
［１−４．効果等］
現金自動取引装置１は、第１搬送部２４における第１切替部３４の制約により、後側の搬送短路から搬送された紙幣を紙幣収納庫２０Ａへ直接搬送できる一方、前側の搬送短路から搬送された紙幣を紙幣収納庫２０Ａへは直接搬送させ得ない。
【００７０】
これに対し、入出金部１４から一時保留部１７を介さずに紙幣収納庫２０Ａへ紙幣を直接搬送させるために、第１切替部３４を一時保留切替部２８のように３ウェイブレードにすることも考えられる。しかしながらその場合、第１切替部３４の構成が複雑化して高額化してしまうと共に、鑑別部１６において鑑別に要する処理時間と、第１切替部３４のブレードを切り替えるために要する切替時間との分だけ第１切替部３４を鑑別部１６から離隔させなくてはいけないため、搬送路が長くなってしまう。
【００７１】
また、第１切替部３４を一時保留切替部２８よりも下流側に移動させることにより、第１切替部３４における搬送経路を切り替えるまでの時間的な余裕を増やすことも考えられる。しかしながらその場合、搬送路が長くなってしまう。
【００７２】
また、ダイレクト入金を行う際は紙幣収納庫２０Ｅを使用しないことも考えられる。しかしながらその場合、使用できる紙幣収納庫２０の数が１個減少するため、現金自動取引装置１において取り扱う金種が減少してしまう。
【００７３】
このようなことを考慮し、現金自動取引装置１は、２ウェイブレードの第１切替部３４を、鑑別部１６の処理時間及び第１切替部３４の切替時間の分の搬送路の距離よりも短い間隔となる程度に鑑別部１６に近接させて配置させることにより、搬送路の長さを短くし現金自動取引装置１の構成をシンプルにすると共に、第１切替部３４の構成が複雑化してしまうことを防止している。また現金自動取引装置１は、３ウェイブレードの一時保留切替部２８を、鑑別部１６の処理時間及び一時保留切替部２８の切替時間の分の搬送路の距離よりも長い間隔となる程度に鑑別部１６から離隔させて配置させることにより、鑑別部１６を通過した紙幣が一時保留切替部２８に到達する前に当該一時保留切替部２８を切り替えるようにしている。
【００７４】
このため、このような構成の現金自動取引装置１においてダイレクト入金を行おうとすると、第１切替部３４の制約により、入出金部１４から紙幣収納庫２０Ａへ紙幣を直接搬送させることはできない。
【００７５】
これに対し現金自動取引装置１は、ダイレクト入金を行う場合、紙幣収納庫２０Ａに収納すべき紙幣を、鑑別部１６から第１切替部３４よりも下流側の一時保留部１７へ一旦搬送した後に、当該一時保留部１７から上流側の紙幣収納庫２０Ａへ搬送して収納するようにした。
【００７６】
これにより現金自動取引装置１は、搬送部１５の構成をシンプルにして搬送路長を短くしつつ、ダイレクト入金を行う場合に、紙幣収納庫２０Ａに収納すべき紙幣を、当該紙幣収納庫２０Ａへ搬送して収納することができる。
【００７７】
またダイレクト入金を行わない場合、現金自動取引装置１は、入金リジェクト紙幣及び再利用不可紙幣を第２搬送部２６に一時的に保留する一方、紙幣収納庫２０Ａ乃至２０Ｅに収納すべき紙幣を一時保留部１７に一時的に保留し、その後入金取引が確定された際に、入金リジェクト紙幣を入出金部１４へ搬送して返却し再利用不可紙幣をリジェクト庫１９へ搬送して収納した後に、一時保留部１７から紙幣を繰り出して紙幣収納庫２０Ａ乃至２０Ｅに搬送して収納することができる。
【００７８】
しかしながらダイレクト入金を行う場合、第２の収納庫としての紙幣収納庫２０Ｂ乃至２０Ｅに収納すべき紙幣が第２搬送部２６を搬送されるため、現金自動取引装置１は、入金リジェクト紙幣及び再利用不可紙幣を当該第２搬送部２６に一時的に保留することができない。
【００７９】
これに対し現金自動取引装置１は、入金リジェクト紙幣及び再利用不可紙幣を、鑑別部１６から一時保留部１７へ一旦搬送した後に、当該一時保留部１７から入出金部１４及びリジェクト庫１９へ搬送するようにした。
【００８０】
これにより現金自動取引装置１は、搬送部１５の構成をシンプルにして搬送路長を短くしつつ、ダイレクト入金を行う場合に、入金リジェクト紙幣を入出金部１４へ搬送して顧客に返却できると共に、再利用不可紙幣をリジェクト庫１９へ搬送して収納することができる。
【００８１】
以上の構成によれば、現金自動取引装置１は、利用者との間で取引する紙葉状の媒体である紙幣を入出する入出金部１４と、入出金部１４と接続され紙幣を搬送する第１搬送部２４及び第２搬送部２６と、第１搬送部２４と接続され紙幣を収納する紙幣収納庫２０Ａと、搬送方向の下流側から上流側へ搬送される紙幣の搬送経路を第１搬送部２４又は紙幣収納庫２０Ａに切り替える一方、搬送方向の上流側から下流側へ搬送される紙幣の搬送経路を紙幣収納庫２０Ａへは切り替えない第１切替部３４と、第１搬送部２４に対し第１切替部３４よりも紙幣の搬送方向の下流側において第１搬送部２４に接続され、紙幣を一時的に収納する一時保留部１７と、入出金部１４を介して紙幣を利用者から受け入れる受入取引において、紙幣収納庫２０Ａに収納すべき媒体を、入出金部１４から第１切替部３４を介し一時保留部１７へ搬送させた後、第１切替部３４における搬送方向の下流側から上流側へ搬送される紙幣の搬送経路を紙幣収納庫２０Ａに切り替え、一時保留部１７から第１切替部３４を介し紙幣収納庫２０Ａへ搬送させる紙幣制御部１２とを設けるようにした。これにより現金自動取引装置１は、搬送部１５の第１切替部３４の制約により入出金部１４から直接紙幣収納庫２０Ａへ搬送することができない紙幣を、当該第１切替部３４よりも下流側に位置する一時保留部１７に一旦保留した後、当該一時保留部１７から上流側へ移動させて第１切替部３４を介し紙幣収納庫２０Ａへ搬送することができる。
【００８２】
［２．他の実施の形態］
なお上述した実施の形態においては、紙幣収納庫２０Ａに収納すべき紙幣、入金リジェクト紙幣及び再利用不可紙幣を、一時保留部１７から紙幣収納庫２０Ａ、入出金部１４及びリジェクト庫１９それぞれに搬送した後に、入金処理を継続するか否かを顧客に選択させる場合について述べた。本発明はこれに限らず、紙幣収納庫２０Ａに収納すべき紙幣、入金リジェクト紙幣及び再利用不可紙幣を一時保留部１７に保留している状態で、入金処理を継続するか否かを顧客に選択させ、その後紙幣収納庫２０Ａに収納すべき紙幣、入金リジェクト紙幣及び再利用不可紙幣を、一時保留部１７から紙幣収納庫２０Ａ、入出金部１４及びリジェクト庫１９それぞれに搬送しても良い。その場合、顧客により入金処理の中止が指示された際に紙幣を返却する時間を短縮することができる。
【００８３】
また上述した実施の形態においては、紙幣収納庫２０Ａに収納すべき紙幣、入金リジェクト紙幣及び再利用不可紙幣を、一時保留部１７に一時的に保留する場合について述べた。本発明はこれに限らず、例えば偽券庫１８、紙幣収納庫２０Ｂ、２０Ｃ、２０Ｄ又は２０Ｅに一時的に保留しても良い。要は、鑑別部１６の下流側に位置し当該鑑別部１６から直接搬送された紙幣を収納させることができる収納部であれば良い。但し、紙幣収納庫２０Ａに収納すべき紙幣、入金リジェクト紙幣及び再利用不可紙幣を、一時保留部１７に一時的に保留する方が、偽券庫１８、紙幣収納庫２０Ｂ、２０Ｃ、２０Ｄ又は２０Ｅに一時的に保留する場合よりも、紙幣の搬送経路を短くすることができる。
【００８４】
さらに上述した実施の形態においては、紙幣入出金機１０に設ける一時保留部１７をいわゆるテープエスクロ方式とし、紙幣をテープと共にドラムの周側面に巻き付けて収納する場合について述べた。本発明はこれに限らず、紙幣入出金機１０に他の種々の方式の一時保留部を設けても良い。この場合、一時保留部としては、入金処理や出金処理において取り扱う最大枚数（例えば２００枚）の紙幣を一時的に収納することができ、さらに当該紙幣を繰り出す際に、収納時における各紙幣の順序を正順又は逆順に維持できれば良い。
【００８５】
さらに上述した実施の形態においては、入出金部１４の収容器２２内に紙幣を特に区別すること無く収容する場合について述べた。本発明はこれに限らず、例えば収容器２２内に前後方向へ移動可能な仕切板を設け、入金処理時に当該仕切板の前方に未鑑別の紙幣を位置させる一方、当該仕切板の後方に入金リジェクト紙幣を位置させるようにしても良い。
【００８６】
さらに上述した実施の形態においては、搬送部１５から一時保留部１７へ紙幣を搬送するよう搬送経路を切り替える一時保留切替部２８を第１切替部３４と第２切替部３６との間に配置し、当該一時保留切替部２８により搬送部１５を前側の第１搬送部２４及び後側の第２搬送部２６に分けた場合について述べた。本発明はこれに限らず、搬送部１５内における他の箇所に一時保留切替部２８を配置しても良い。
【００８７】
さらに上述した実施の形態においては、紙幣入出金機１０内にリジェクト庫１９及び偽券庫１８を設ける場合について述べた。本発明はこれに限らず、例えばリジェクト庫１９及び偽券庫１８の何れか一方若しくは双方を省略しても良い。この場合、５個の紙幣収納庫２０（２０Ａ〜２０Ｅ）のうち何れか１個に再利用不可紙幣や偽券を収納するようにしても良い。
【００８８】
さらに上述した実施の形態においては、第１搬送部２４にリジェクト切替部３２を介してリジェクト庫１９を接続する場合について述べた。本発明はこれに限らず、例えば第２搬送部２６に所定のリジェクト切替部を介して再利用不可紙幣を収納するためのリジェクト庫を接続しても良い。このリジェクト庫は、上部ブロック１０Ｕ内又は下部ブロック１０Ｌ内の何れに設置しても良い。
【００８９】
さらに上述した実施の形態においては、紙幣入出金機１０に５個の紙幣収納庫２０（２０Ａ〜２０Ｅ）を設ける場合について述べた。しかしながら本発明はこれに限らず、４個以下又は６個以上の紙幣収納庫２０を設けるようにしても良い。例えば３個の紙幣収納庫２０を設ける場合、現金自動取引装置１の前後長を大幅に短縮できるため、コンビニエンスストアのように設置面積が制限されている場所に設置する場合に好適である。
【００９０】
さらに上述した実施の形態においては、顧客との間で媒体としての紙幣に関する取引処理を行う現金自動取引装置１の紙幣入出金機１０に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。
【００９１】
さらに上述した実施の形態においては、入出部としての入出金部１４と、搬送部としての第１搬送部２４及び第２搬送部２６と、収納庫としての紙幣収納庫２０Ａと、切替部としての第１切替部３４と、保留部としての一時保留部１７と、制御部としての紙幣制御部１２とによって媒体処理装置としての紙幣入出金機１０及び媒体取引装置としての現金自動取引装置１を構成する場合について述べた。
【００９２】
本発明はこれに限らず、その他種々の構成でなる入出部と、搬送部と、収納庫と、切替部と、保留部と、制御部とによって媒体処理装置及び媒体取引装置を構成するようにしても良い。
【産業上の利用可能性】
【００９３】
本発明は、顧客との間で紙幣の入出金に関する取引処理を行う現金自動取引装置等でも利用できる。
【符号の説明】
【００９４】
１……現金自動取引装置、２……筐体、３……顧客応対部、４……カード入出口、５……入出金口、６……操作表示部、７……テンキー、８……レシート発行口、９……主制御部、１０……紙幣入出金機、１０Ｕ……上部ブロック、１０Ｌ……下部ブロック、１１……シャッタ、１２……紙幣制御部、１３……記憶部、１４……入出金部、１５……搬送部、１６……鑑別部、１７……一時保留部、１８……偽券庫、１９……リジェクト庫、２０……紙幣収納庫、２２……収容器、２４……第１搬送部、２４Ａ……前部、２４Ｂ……後部、２６……第２搬送部、２８……一時保留切替部、３０……ブレード、３２……リジェクト切替部、３４……第１切替部、３６……第２切替部、３８……第３切替部、４０……第４切替部、４２……偽券切替部。
【図１】
0006536023.tif 000002
【図２】
0006536023.tif 000003
【図３】
0006536023.tif 000004
【図４】
0006536023.tif 000005
【図５】
0006536023.tif 000006
【図６】
0006536023.tif 000007
【図７】
0006536023.tif 000008
【図８】
0006536023.tif 000009
【図９】
0006536023.tif 000010
【図１０】
0006536023.tif 000011
【図１１】
0006536023.tif 000012